(57)【要約】【課題】シートが分離部によるニップ位置から外れる際に一瞬だけシートの搬送速度が上昇するのを、従来とは異なる仕組みで抑制可能な画像読取装置を提供すること。【解決手段】画像読取装置において、制御部は、シートを順方向へ搬送し（Ｓ４０）、シートが分離部から離脱した状態にする（Ｓ５０：ＹＥＳ）。そして、シートを逆方向へ搬送し（Ｓ６０）、シートが読取部に対して所定の相対位置に配置された状態にする（Ｓ７０：ＹＥＳ）。そして、再びシートを順方向へ搬送し、順方向へ搬送されるシートの画像を読み取る（Ｓ８０）。【選択図】図４
2018142880.tif 000002
【特許請求の範囲】
【請求項１】
供給部から排出部に至る搬送経路に沿ってシートを搬送可能に構成され、前記搬送経路の途中にはシートを一枚ずつに分離する分離部を有し、シートの搬送方向を、シートが前記排出部に向かって搬送される順方向、及びシートが前記排出部から離れる方向へと搬送される逆方向のいずれかに切り替え可能な搬送部と、
前記搬送部によって搬送されるシートの画像を読み取る読取部と、
前記搬送部によってシートが前記順方向に搬送される際に、搬送方向後端となるシートの第一端が第一位置に到達したことを検知する第一検知部と、
前記搬送部によってシートが前記逆方向に搬送される際に、搬送方向後端となるシートの第二端が第二位置に到達したことを検知する第二検知部と、
前記第一検知部及び前記第二検知部による検知結果を取得可能、かつ前記搬送部及び前記読取部を制御可能に構成された制御部と
を備え、
前記制御部は、
前記搬送部を制御して、シートを前記順方向へ搬送し、前記第一端が前記第一検知部によって検知されたら、前記第一端が前記第一位置又は前記第一位置から第一距離だけ離れた位置に到達したところで前記順方向への搬送を停止することにより、シートが前記分離部から離脱した状態、かつシートを前記逆方向へ搬送可能な状態にする順方向搬送処理と、
前記順方向搬送処理による搬送を終えた後、前記搬送部を制御して、シートを前記逆方向へ搬送し、前記第二端が前記第二検知部によって検知されたら、前記第二端が前記第二位置又は前記第二位置から第二距離だけ離れた位置に到達したところで前記逆方向への搬送を停止することにより、シートが前記読取部に対して所定の相対位置に配置された状態にする逆方向搬送処理と、
前記逆方向搬送処理による搬送を終えた後、前記搬送部を制御して、再びシートを前記順方向へ搬送し、前記読取部を制御して、前記順方向へ搬送されるシートの画像を読み取る読取処理と
を実行するように構成されている画像読取装置。
【請求項２】
請求項１に記載の画像読取装置であって、
前記第二検知部は、前記読取部によって構成される
画像読取装置。
【請求項３】
請求項１又は請求項２に記載の画像読取装置であって、
前記搬送部は、前記搬送経路から分岐する分岐経路を備え、
前記逆方向搬送処理によって前記逆方向へ搬送されるシートは、少なくとも一部が前記分岐経路へと搬送される
画像読取装置。
【請求項４】
請求項３に記載の画像読取装置であって、
前記分岐経路は、前記搬送経路から分岐して装置上方へと延びており、その上端は開口端とされていて、前記逆方向搬送処理によって前記分岐経路へと搬送されるシートは、少なくとも一部が前記開口端から装置外へと導出される
画像読取装置。
【請求項５】
請求項３に記載の画像読取装置であって、
前記分岐経路は、前記搬送経路から分岐して前記搬送経路の上方又は下方において前記搬送経路と並列に延びている
画像読取装置。
【請求項６】
請求項１から請求項５までのいずれか一項に記載の画像読取装置であって、
前記制御部は、第一の解像度で画像を読み取る第一モード、及び前記第一の解像度よりも高解像度となる第二の解像度で画像を読み取る第二モードを含む複数の読取モードの中から、いずれか一つの読取モードを利用者が任意に選択したら、当該選択された読取モードに従って前記搬送部及び前記読取部を制御して、シートの画像を読み取るように構成されており、前記第一モードが選択された場合には、前記順方向搬送処理から前記逆方向搬送処理を経て前記読取処理に至る処理とは異なる処理を実行し、前記第二モードが選択された場合には、前記順方向搬送処理から前記逆方向搬送処理を経て前記読取処理に至る処理を実行するように構成されている
画像読取装置。
【請求項７】
請求項１から請求項６までのいずれか一項に記載の画像読取装置であって、
前記分離部は、一枚のシートを前記順方向へと搬送する分離ローラと、前記分離ローラによって搬送される前記一枚のシートとは別のシートに接触することにより、前記一枚のシート以外のシートが前記順方向へと搬送されるのを抑制する抑制部材とを含み、
前記分離ローラは、支軸によって支持されていて、前記支軸と前記分離ローラとの間にはクラッチ部が設けられることにより、前記支軸に従動して回転する状態と、前記支軸に従動しない状態とを切り替え可能に構成され、少なくとも前記逆方向搬送処理が実行される間は、前記支軸に従動しない状態となるように構成されている
画像読取装置。
【請求項８】
請求項１から請求項７までのいずれか一項に記載の画像読取装置であって、
前記第二検知部は、前記搬送経路上で前記読取部が配置された位置から所定の距離だけ前記供給部寄りの位置となる前記第二位置において、シートに対して非接触で前記第二端が前記第二位置に到達したことを検知可能な非接触センサを備えてなる
画像読取装置。
【発明の詳細な説明】
【技術分野】
【０００１】
本開示は、画像読取装置に関する。
【背景技術】
【０００２】
自動原稿送り装置（Automatic Document Feeder；以下、ＡＤＦと略称する。）を備えた画像読取装置が知られている（例えば、特許文献１参照。）。また、特許文献１には、分離ローラ及び分離片を有する分離部からシートが外れる際に、一瞬だけシートの搬送速度が速くなるのを抑制可能な技術が開示されている。特許文献１に記載の技術の場合、同文献に開示された形状の分離片を用いることにより、搬送速度の変動を抑制している。
【先行技術文献】
【特許文献】
【０００３】
【特許文献１】特開２０１４−１９６１８５号公報
【発明の概要】
【発明が解決しようとする課題】
【０００４】
しかしながら、ＡＤＦが備える分離部の仕組みとしては、上述のような分離片を用いる方式の他に、リバースローラやリタードローラを用いる方式やリバースベルトを用いる方式などが知られている。これらの方式の場合、分離片そのものが設けられていないので、上記特許文献１に記載の技術を採用することはできない。また、分離片を用いる方式が採用される場合であっても、別の事情があって分離片の形状を上記特許文献１に記載されているような形状にできないことはある。
【０００５】
本開示の一局面においては、シートが分離部によるニップ位置から外れる際に一瞬だけシートの搬送速度が上昇するのを、従来とは異なる仕組みで抑制可能な画像読取装置を提供することが望ましい。
【課題を解決するための手段】
【０００６】
本開示の一態様は、画像読取装置であって、供給部から排出部に至る搬送経路に沿ってシートを搬送可能に構成され、搬送経路の途中にはシートを一枚ずつに分離する分離部を有し、シートの搬送方向を、シートが排出部に向かって搬送される順方向、及びシートが排出部から離れる方向へと搬送される逆方向のいずれかに切り替え可能な搬送部と、搬送部によって搬送されるシートの画像を読み取る読取部と、搬送部によってシートが順方向に搬送される際に、搬送方向後端となるシートの第一端が第一位置に到達したことを検知する第一検知部と、搬送部によってシートが逆方向に搬送される際に、搬送方向後端となるシートの第二端が第二位置に到達したことを検知する第二検知部と、第一検知部及び第二検知部による検知結果を取得可能、かつ搬送部及び読取部を制御可能に構成された制御部とを備え、制御部は、搬送部を制御して、シートを順方向へ搬送し、第一端が第一検知部によって検知されたら、第一端が第一位置又は第一位置から第一距離だけ離れた位置に到達したところで順方向への搬送を停止することにより、シートが分離部から離脱した状態、かつシートを逆方向へ搬送可能な状態にする順方向搬送処理と、順方向搬送処理による搬送を終えた後、搬送部を制御して、シートを逆方向へ搬送し、第二端が第二検知部によって検知されたら、第二端が第二位置又は第二位置から第二距離だけ離れた位置に到達したところで逆方向への搬送を停止することにより、シートが読取部に対して所定の相対位置に配置された状態にする逆方向搬送処理と、逆方向搬送処理による搬送を終えた後、搬送部を制御して、再びシートを順方向へ搬送し、読取部を制御して、順方向へ搬送されるシートの画像を読み取る読取処理とを実行するように構成されている。
【０００７】
このように構成された画像読取装置によれば、シートの第一端が分離部から離脱するまでは、読取部による画像の読み取りが実行されず、シートの第一端が分離部から離脱してから、読取部による画像の読み取りが実行される。そのため、シートの第一端が分離部から離脱する際にシートの搬送速度が変動するとしても、そのような変動が発生する際に画像が読み取られることはない。また、読取部による画像の読み取りが実行される際には、シートの第一端が既に分離部から離脱済みとなっているので、分離部が原因でシートの搬送速度が変動することはなく、分離部が画像の品質を低下させることはない。
【０００８】
したがって、シートの第一端（すなわち、シートが順方向に搬送される場合における搬送方向後端。）が分離部から離脱していない状態のまま、読取部による画像の読み取りが開始されるのを回避でき、画質の低下を抑制することができる。
【図面の簡単な説明】
【０００９】
【図１】図１は複合機が備えるＡＤＦ部の構造を示す説明図である。
【図２】図２は複合機の制御系を示すブロック図である。
【図３】図３Ａは第一の例として例示する分離ローラの斜視図である。図３Ｂは第一の例として例示する分離ローラが備えるクラッチ部を分解して示す斜視図である。図３Ｃは第一の例として例示する分離ローラが備えるクラッチ部を分解して図３Ｂとは別方向から見た斜視図である。図３Ｄは第一の例として例示する分離ローラの断面図である。
【図４】図４は制御部において実行される処理を示すフローチャートである。
【図５】図５Ａはシートが初期位置にある状態を示す説明図である。図５Ｂはシートの第一端が第一検知部による検知位置に到達した状態を示す説明図である。
【図６】図６Ａはシートが逆送開始位置に到達した状態を示す説明図である。図６Ｂは逆送されたシートの第二端が第二検知部による検知位置に到達した状態を示す説明図である。
【図７】図７Ａはシートが読取待機位置にある状態を示す説明図である。図７Ｂは読取部による画像の読み取りを実行中の状態を示す説明図である。
【図８】図８Ａは第二実施形態として例示する複合機において、シートが逆送開始位置に到達した状態を示す説明図である。図８Ｂは第二実施形態として例示する複合機において、逆送されたシートの第二端が第二検知部による検知位置に到達した状態を示す説明図である。
【図９】図９Ａは第三実施形態として例示する複合機を示す説明図である。図９Ｂは第四実施形態として例示する複合機を示す説明図である。
【図１０】図１０Ａは第五実施形態として例示する分離ローラの斜視図である。図１０Ｂは第五実施形態として例示する分離ローラを図１０Ａとは別方向から見た斜視図である。図１０Ｃは駆動軸が順方向へ回転する場合の分離ローラの回転状態を示す説明図である。図１０Ｄは駆動軸が逆方向へ回転する場合の分離ローラの回転状態を示す説明図である。
【発明を実施するための形態】
【００１０】
次に、上述の画像読取装置について、例示的な実施形態を挙げて説明する。
（１）第一実施形態
［複合機の構成］
図１に示す複合機１は、上述の画像読取装置の一例に相当する構成を備える装置である。複合機１は、図１に示すように、本体ユニット２と、読取ユニット３（本明細書でいう画像読取装置の一例に相当。）とを備える。読取ユニット３は、フラットベッド部４（以下、ＦＢ部４と称する。）と、自動原稿搬送部５（以下、ＡＤＦ部５と称する。）とを備える。
【００１１】
本体ユニット２には、図２に示すように、制御部１０、画像形成部１１、ＬＡＮ通信部１２、及び操作パネル１３等が配設されている。制御部１０は、周知のＣＰＵ、ＲＯＭ、及びＲＡＭ等を備え、ＣＰＵがＲＯＭやＲＡＭに記憶された制御プログラムに従って所定の処理を実行することで、複合機１の各部を制御するための処理が実行される。画像形成部１１は、所定の搬送経路に沿って搬送される被記録媒体に対し、インクジェット方式で画像を形成可能に構成されている。なお、画像形成部１１は、電子写真方式で被記録媒体に画像を形成可能に構成されていてもよい。
【００１２】
ＬＡＮ通信部１２は、無線ＬＡＮに対応した通信インターフェース装置、及び有線ＬＡＮに対応した通信インターフェース装置によって構成されている。操作パネル１３は、利用者が複合機１に対して各種指令を与える際に操作する入力装置（例えば、タッチパネル、各種ボタン類、及びスイッチ類。）と、複合機１の動作状態などを利用者に通知するための出力装置（例えば、液晶ディスプレイ装置、及び各種ランプ類。）を有する。
【００１３】
ＦＢ部４には、イメージセンサ１５（本開示でいう読取部及び第二検知部の一例に相当。）が配設されている。本実施形態の場合、イメージセンサ１５は、密着イメージセンサ（ＣＩＳ；Contact Image Sensor）である。イメージセンサ１５は、一方向に配列された複数の読取素子を有し、図示しないキャリッジに搭載されて、読取素子の配列方向を主走査方向として、主走査方向に直交する副走査方向へ往復移動可能に構成されている。ＦＢ部４の上面に載置された原稿の画像を読み取る際には、キャリッジとともに副走査方向へ移動しつつ、原稿の画像を読み取る。また、ＡＤＦ部５において搬送される原稿の画像を読み取る際には、イメージセンサ１５がプラテン１７（図１参照。）を挟んで原稿の搬送経路とは反対側となる位置で静止し、搬送経路に沿って搬送される原稿の画像を読み取る。
【００１４】
ＡＤＦ部５には、搬送部２０、第一シートセンサ２１、第二シートセンサ２２、及び第三シートセンサ２３（本開示でいう第一検知部の一例に相当。）が配設されている。搬送部２０は、図１に示すように、給紙トレイ２５にセットされたシートを、図１中に破線で示す搬送経路Ｐ１に沿って搬送可能に構成されている。搬送部２０によって搬送されたシートは、排紙トレイ２７へと排出される。
【００１５】
搬送部２０は、吸入ローラ３１、分離ローラ３２１、分離片３２２、第一搬送ローラ３３１、第一ピンチローラ３３２、第二搬送ローラ３４１、第二ピンチローラ３４２、排出ローラ３５１、及び排出ピンチローラ３５２等を備える。分離ローラ３２１及び分離片３２２は、本開示でいう分離部の一例に相当する。また、分離片３２２は、本開示でいう抑制部材の一例に相当する。給紙トレイ２５にセットされたシートは、吸入ローラ３１によって装置内へと吸入される。吸入されたシートは、分離ローラ３２１及び分離片３２２によって１枚ずつに分離される。分離されたシートは、第一搬送ローラ３３１や第二搬送ローラ３４１によって搬送方向下流側へと搬送され、排出ローラ３５１によって排紙トレイへと排出される。
【００１６】
また、詳しくは後述するが、搬送部２０は、上述の搬送経路Ｐ１に沿って給紙トレイ２５から排紙トレイ２７へと向かう順方向へシートを搬送する途中で、シートを逆方向へ搬送可能に構成されている。主となる搬送経路Ｐ１の途中には、搬送経路Ｐ１から分岐する分岐経路Ｐ２が設けられている。順方向へ搬送されるシートの搬送方向後端が搬送経路Ｐ１と分岐経路Ｐ２との分岐点を通過した後、シートが逆方向へ搬送されると、逆方向へ搬送されるシートの搬送方向先端（すなわち、順方向への搬送時におけるシートの搬送方向後端。）は、分岐経路Ｐ２へと進入する。
【００１７】
搬送経路Ｐ１と分岐経路Ｐ２との分岐点付近において、分岐経路Ｐ２の曲率半径は主となる搬送経路Ｐ１の曲率半径よりも大とされている。そのため、シートが搬送経路Ｐ１と分岐経路Ｐ２との分岐点よりも搬送方向下流側まで搬送された後、そのシートが逆方向へと搬送される際、シートは、シートの張りによって外周方向へと付勢される状態となり、自ずと曲率半径が大きい方の経路である分岐経路Ｐ２の方へと進入する。
【００１８】
分岐経路Ｐ２の上端は開口端６１とされている。本実施形態の場合、ＡＤＦ部５の外装上面には細長いスリット状の開口が形成され、そのスリット状の開口に分岐経路Ｐ２が連通することで、上述の開口端６１が構成されている。シートが逆方向へと搬送された際、分岐経路Ｐ２へと進入するシートの一部は、開口端６１を介して複合機１の外部へと導出される。
【００１９】
第一シートセンサ２１は、給紙トレイ２５にシートがセットされた場合にシートに接触する接触子を有し、その接触子にシートが接触しているか否かに応じてオンとオフとが切り替わる接触センサである。第二シートセンサ２２は、イメージセンサ１５による読み取り位置から所定量だけ搬送方向上流側となる位置においてシートに接触する接触子を有し、その接触子にシートが接触しているか否かに応じてオンとオフとが切り替わる接触センサである。第二シートセンサ２２による検知位置をシートの搬送方向後端が通過した際には、第二シートセンサ２２においてオンとオフとが切り替わるので、その切り替わりの時点から所定量だけシートが搬送された時点で、シートの搬送方向後端がイメージセンサ１５による読み取り位置に到達したものと判断することができる。第三シートセンサ２３は、分離ローラ３２１及び分離片３２２から所定量だけ搬送方向下流側となる位置をシートの搬送方向後端が通過したことを、シートに対して非接触で検知可能な非接触センサである。本実施形態の場合、第三シートセンサ２３としては、反射型光センサが採用されている。
【００２０】
［クラッチ部の詳細］
次に、分離ローラ３２１が有するクラッチ部について、図３Ａ，図３Ｂ，図３Ｃ，及び図３Ｄに基づいて説明する。分離ローラ３２１は、図３Ａ，図３Ｂ，図３Ｃ，及び図３Ｄに示すように、クラッチ部３７を備える。クラッチ部３７は、支軸３８が回転駆動された際に、支軸３８の回転を分離ローラ３２１へと伝達する部分である。本実施形態の場合、クラッチ部３７は、ピン３９、第一回転部４１、及び第二回転部４２を備える。ピン３９は、支軸３８に対して固定されている。第一回転部４１、第二回転部４２、及び分離ローラ３２１は、支軸３８に取り付けられて、支軸３８に対して相対的に回転可能に構成されている。
【００２１】
第一回転部４１及び第二回転部４２は、同形状の部材であり、それぞれが円板部５１、大径円筒部５２、小径円筒部５３、向心突起５４、及び遠心突起５５を有する形状とされている。円板部５１は、大径円筒部５２の一端を塞ぐ位置に設けられている。小径円筒部５３は、円板部５１を挟んで大径円筒部５２とは反対側となる位置に設けられている。向心突起５４は、大径円筒部５２の内周から向心方向（回転中心に向かう方向。）へ突出している。遠心突起５５は、小径円筒部５３の外周から遠心方向（回転中心から遠ざかる方向。）へ突出している。分離ローラ３２１には、凸部５７が設けられている。
【００２２】
支軸３８が回転駆動された際には、ピン３９が支軸３８とともに回転する。ピン３９の回転に伴って、ピン３９が第一回転部４１の向心突起５４に当接すると、第一回転部４１はピン３９とともに回転する。第一回転部４１の回転に伴って、第一回転部４１の遠心突起５５が第二回転部４２の向心突起５４に当接すると、第二回転部４２は第一回転部４１とともに回転する。第二回転部４２の回転に伴って、第二回転部４２の遠心突起５５が分離ローラ３２１の凸部５７に当接すると、分離ローラ３２１は第二回転部４２とともに回転する。ただし、このような仕組みでクラッチ部３７が動力を伝達するため、支軸３８の回転方向が順方向及び逆方向のいずれか一方から他方へと切り替えられた直後は、支軸３８が概ね３回転するまで分離ローラ３２１の回転が停止する。
【００２３】
より詳しくは、支軸３８の回転方向が切り替えられた場合、ピン３９は支軸３８とともに回転する。ただし、支軸３８が概ね１回転するまでは、ピン３９が第一回転部４１の向心突起５４に当接しない。そのため、第一回転部４１は、支軸３８に対して直ちに従動することはなく、支軸３８が概ね１回転したところで支軸３８に追従して回転を始める。また、第一回転部４１が回転を開始しても、第一回転部４１が概ね１回転するまでは、第一回転部４１の遠心突起５５が第二回転部４２の向心突起５４に当接しない。そのため、第二回転部４２は、第一回転部４１に対して直ちに従動することはなく、第一回転部４１が概ね１回転したところで第一回転部４１に追従して回転を始める。さらに、第二回転部４２が回転を開始しても、第二回転部４２が概ね１回転するまでは、第二回転部４２の遠心突起５５が分離ローラ３２１の凸部５７に当接しない。そのため、分離ローラ３２１は、第二回転部４２に対して直ちに従動することはなく、第二回転部４２が概ね１回転したところで第二回転部４２に追従して回転を始める。このようにして分離ローラ３２１が回転を始めるので、支軸３８の回転方向が切り替えられた際には、分離ローラ３２１が回転を始めるまでの間に、支軸３８は概ね３回転することになる。
【００２４】
なお、吸入ローラ３１は、分離ローラ３２１が回転駆動された際に、分離ローラ３２１と吸入ローラ３１との間に介装された中継ギヤ（図示略。）によって伝達される動力により回転駆動されるように構成されている。そのため、分離ローラ３２１の回転方向が切り替えられる際には、吸入ローラ３１も分離ローラ３２１に連動する。すなわち、分離ローラ３２１が回転を開始しない限り、吸入ローラ３１も回転を開始せず、分離ローラ３２１が回転を開始すると、吸入ローラ３１も回転を開始する。
【００２５】
［複合機１において実行される処理］
次に、複合機１において実行される処理について、図４に基づいて説明する。図４に示す処理は、複合機１が作動状態にある場合に実行されている処理のうち、画像の読み取りに関連する処理を抜粋して示したものである。図４に示す処理を開始すると、複合機１は、操作パネル１３での入力操作や複合機１に接続された外部機器からの指令を受け付け可能な状態で待機し、その際、入力操作又は外部機器からの指令として、スキャン操作を受け付ける（Ｓ１０）。
【００２６】
スキャン操作を受け付けた場合、複合機１は、シートを第一シートセンサ２１で検知しているか否かを判断する（Ｓ２０）。ＡＤＦ部５にシートがセットされている場合には（図５Ａ参照。）、そのシートが第一シートセンサ２１によって検知される。なお、図５Ａから図８Ｂまでの各図では、搬送経路Ｐ１を破線で示すとともに、その搬送経路Ｐ１に沿って移動するシートを、搬送経路Ｐ１を示す破線よりも太い実線で示してある。
【００２７】
Ｓ２０では、第一シートセンサ２１による検知結果に基づき、ＡＤＦ部５にシートがセットされているか否かを判断する。Ｓ２０において、シートを第一シートセンサ２１で検知していない場合（Ｓ２０：ＮＯ）、複合機１は、ＦＢ部４による画像の読み取り処理を実行する（Ｓ３０）。なお、Ｓ３０は、周知のフラットベッド型イメージスキャナにおいて実行される処理と同様なので、これ以上の詳細な説明は省略する。
【００２８】
一方、Ｓ２０において、シートを第一シートセンサ２１で検知している場合（Ｓ２０：ＹＥＳ）、複合機１は、ＡＤＦ部５にセットされたシートを順方向に搬送する（Ｓ４０）。Ｓ４０では、搬送部２０を駆動する動力源へ電力を供給することにより、搬送部２０を作動させる。これにより、シートが搬送経路Ｐ１に沿って順方向へと搬送される。シートの搬送を開始したら、複合機１は、シートの第一端（順方向に搬送されるシートの搬送方向後端。）を第三シートセンサ２３で検知したか否かを判断する（Ｓ５０）。
【００２９】
第三シートセンサ２３は、シートの第一端が分離ローラ３２１及び分離片３２２によるニップ位置を通過した後、その第一端が第三シートセンサ２３による検知位置に到達すると、第一端を検知する（図５Ｂ参照。）。そのため、Ｓ５０において、シートの第一端を第三シートセンサ２３で検知していない場合は（Ｓ５０：ＮＯ）、シートの第一端が分離ローラ３２１及び分離片３２２によるニップ位置を通過していない可能性がある。よって、その場合は、Ｓ４０へと戻り、更にシートを順方向に搬送する。
【００３０】
一方、Ｓ５０において、シートの第一端を第三シートセンサ２３で検知した場合は（Ｓ５０：ＹＥＳ）、シートの第一端が分離ローラ３２１及び分離片３２２によるニップ位置を通過したことになる。よって、その場合は、シートの第一端を第三シートセンサ２３で検知した後、所定量だけシートを搬送したら（図６Ａ参照。）、その時点で搬送部２０を駆動する動力源への供給電力を低減し、シートを逆方向に搬送する（Ｓ６０）。
【００３１】
Ｓ６０において、シートの第一端を第三シートセンサ２３で検知した後、所定量だけシートを搬送するのは、第三シートセンサ２３によって第一端を検知したときのシートの位置と、逆方向への搬送を開始するときのシートの位置との間に、多少のずれがあるためである。このようなずれの量は、装置の設計によって変わり得るが、動的に変化する量ではない。そのため、第三シートセンサ２３による第一端の検知タイミングから所定パルス数分だけ動力源を駆動するか、所定時間分だけ動力源を駆動すれば、上述のずれを考慮した位置までシートを搬送することができる。そして、上述のずれを考慮した位置までシートを搬送したら、シートを逆方向に搬送する。Ｓ６０において、逆方向へと搬送されるシートは、図６Ｂに示すように、上述した分岐経路Ｐ２へと進入する。
【００３２】
Ｓ６０において、搬送部２０を駆動する動力源への供給電力を低減するのは、逆方向への搬送時には、上述のクラッチ部３７が機能することにより、分離ローラ３２１及び吸入ローラ３１が回転駆動されない状態となるからである。すなわち、分離ローラ３２１及び吸入ローラ３１が回転駆動されない状態となれば、その分だけ搬送部２０を作動させる際の負荷が軽減される。そのため、動力源への供給電力を低減しても搬送部２０を適切に駆動することができる。動力源への供給電力を低減すると、消費電力を低減できるのはもちろんのこと、動力源から発生する騒音や振動を低減する効果もある。また、分離ローラ３２１及び吸入ローラ３１が回転駆動されない状態となるので、この点においても騒音や振動を低減する効果がある。
【００３３】
分離ローラ３２１及び吸入ローラ３１が回転駆動されなくなる期間は、クラッチ部３７の構造を調節することにより、任意に調節することができる。例えば、上述の例では支軸３８が概ね３回転するまで分離ローラ３２１の回転が停止する旨を説明したが、更に第一回転部４１相当の構造を有する部材を第三以降の回転部として設ければ、分離ローラ３２１の空転期間を延ばすことができる。分離ローラ３２１の空転期間は、少なくともシートを逆方向へ搬送する期間は分離ローラ３２１が空転するように構成しておくと好ましい。例えば、本実施形態の複合機１の場合、ＡＤＦ部５にセットされることが想定されている用紙サイズの中では、リーガルサイズ（２１６ｍｍ×３５６ｍｍ）の用紙長が一番長いので、リーガルサイズの用紙を考慮して、分離ローラ３２１の空転期間が最適化されている。
【００３４】
Ｓ６０によってシートの逆方向への搬送を開始したら、続いて、複合機１は、シートの第二端（シートが逆方向に搬送される場合におけるシートの搬送方向後端、シートが順方向に搬送される場合におけるシートの搬送方向先端。）をイメージセンサ１５で検知したか否かを判断する（Ｓ７０）。Ｓ７０において、シートの第二端をイメージセンサ１５で検知していない場合は（Ｓ７０：ＮＯ）、シートの第二端がイメージセンサ１５による読み取り位置よりも順方向への搬送方向下流側にあることを意味する。この場合、このシート位置から順方向への搬送を開始しても、シート全体に対する画像の読み取りを実施できないことになる。よって、この場合は、Ｓ６０へと戻り、複合機１は、更にシートを逆方向に搬送する。
【００３５】
一方、Ｓ７０において、シートの第二端をイメージセンサ１５で検知した場合は（Ｓ７０：ＹＥＳ）、シートの第二端がイメージセンサ１５による読み取り位置に到達したことになる（図６Ｂ参照、）。よって、その場合、複合機１は、シートの第二端をイメージセンサ１５で検知した後、所定量だけシートを搬送したら（すなわち、図７Ａに示す位置にシートが到達したら）、シートを順方向に搬送して、イメージセンサ１５でシートの画像を読み取る（Ｓ８０）。
【００３６】
Ｓ８０において、シートの第二端をイメージセンサ１５で検知した後、所定量だけシートを逆方向へ搬送するのは、イメージセンサ１５よりも順方向への搬送方向上流側となる位置からシートの搬送を開始して、シートの搬送速度が安定したところで画像の読み取りを開始できるようにするためである。また、逆方向へ搬送されるシートの第二端をイメージセンサ１５で検知した後、所定量だけシートを逆方向へ搬送する際、その搬送量は、搬送部２０が持つバックラッシュを考慮した搬送量とされる。搬送部２０が持つバックラッシュは、各部の摩耗や変形が無視できる程度であれば変動する量ではない。したがって、例えば、装置の製造段階でバックラッシュの程度を特定して、それに応じて逆方向への搬送量をメモリ等に記憶させておくことができ、Ｓ８０を実行する段階では、事前に設定された搬送量を参照して逆方向への搬送を実施すればよい。
【００３７】
シートの順方向への搬送と画像の読み取りを開始したら、複合機１は、シートの第一端（シートが順方向に搬送される場合におけるシートの搬送方向後端。）を第二シートセンサ２２で検知したか否かを判断する（Ｓ９０）。Ｓ９０において、シートの第一端を第二シートセンサ２２で検知していない場合は（Ｓ９０：ＮＯ）、読み取り対象となるシートの一部が第二シートセンサ２２による検知位置よりも上流側に存在することを意味する。よって、この場合は、Ｓ８０へと戻り、複合機１は、更にシートの順方向への搬送と画像の読み取りとを継続する（図７Ｂ参照。）。
【００３８】
一方、Ｓ９０において、シートの第一端を第二シートセンサ２２で検知した場合は（Ｓ９０：ＹＥＳ）、シートの第一端が第二シートセンサ２２による検知位置に到達したことになる。よって、その場合、複合機１は、シートの第一端を第二シートセンサ２２で検知した後、所定量だけシートが搬送されて、シートの第一端がイメージセンサ１５による読み取り位置を通過したら、モータへの供給電力を増大させて、シートを排紙トレイへと排出し（Ｓ１００）、画像の読み取りを完了する（Ｓ１１０）。なお、Ｓ１００では、動力源への供給電力を増大させるが、これはＳ６０において低減した供給電力を、低減前の供給電力に戻すという主旨である。
【００３９】
こうして一枚のシートに対する画像の読み取りを終えたら、複合機１は、シートを第一シートセンサ２１で検知しているか否かを判断する（Ｓ１２０）。ＡＤＦ部５に二枚目以降のシートが残っている場合には、そのシートが第一シートセンサ２１によって検知される。そこで、Ｓ１２０では、第一シートセンサ２１による検知結果に基づき、ＡＤＦ部５にシートが残っていると判断される場合には（Ｓ１２０：ＹＥＳ）、Ｓ４０へと戻ることにより、Ｓ４０以降の処理ステップを繰り返す。一方、Ｓ１２０において、ＡＤＦ部５にシートが残っていないと判断される場合には（Ｓ１２０：ＮＯ）、図４に示す処理を終了する。
【００４０】
なお、以上説明した処理は、第一の解像度で画像を読み取る第一モード、及び第一の解像度よりも高解像度となる第二の解像度で画像を読み取る第二モードを含む複数の読取モードの中から、利用者によって第二モードが選択された場合に実行される処理である。利用者によって第一モードが選択された場合には、Ｓ４０〜Ｓ７０は実行されず、かつＳ６０が実行されないので、Ｓ１００では供給電力の増大も実行されない。
【００４１】
このような処理を行うことにより、第一モードが選択された場合には、逆方向搬送処理を実行しないことで、画像の読み取りに要する時間を第二モードよりも短縮し、画質よりも読み取り速度を重視した処理とすることができる。また、第二モードが選択された場合には、分離ローラ３２１及び分離片３２２からシートが離脱する時点では画像を読み取らず、その後に逆方向搬送処理を実行してから、再び順方向へシートを搬送しながら画像を読み取る。これにより、シートの搬送速度が変動しない状況下で画像を読み取ることができ、読み取り速度よりも画質を重視した処理とすることができる。
【００４２】
［効果］
以上説明したように、上記複合機１によれば、シートの第一端が分離ローラ３２１及び分離片３２２から離脱するまでは、イメージセンサ１５による画像の読み取りが実行されず、シートの第一端が分離ローラ３２１及び分離片３２２から離脱してから、イメージセンサ１５による画像の読み取りが実行される。そのため、シートの第一端が分離ローラ３２１及び分離片３２２から離脱する際にシートの搬送速度が変動するとしても、そのような変動が発生する際に画像が読み取られることはない。また、イメージセンサ１５による画像の読み取りが実行される際には、シートの第一端が既に分離ローラ３２１及び分離片３２２から離脱済みとなっているので、分離ローラ３２１及び分離片３２２が原因でシートの搬送速度が変動することはなく、分離ローラ３２１及び分離片３２２が画像の品質を低下させることはない。
【００４３】
したがって、搬送経路における分離ローラ３２１及び分離片３２２によるニップ位置からイメージセンサ１５による読み取り位置までの距離が、シートの全長（シートの搬送方向に一致する方向のシートの長さ。）より短い装置であっても、シートの第一端が分離ローラ３２１及び分離片３２２から離脱していない状態のまま、イメージセンサ１５による画像の読み取りが開始されるのを回避でき、画質の低下を抑制することができる。
【００４４】
また、本実施形態の場合、複合機１では、単一のイメージセンサ１５が、本開示でいう読取部として利用されるとともに、第二検知部としても利用されている。したがって、本開示でいう第二検知部と読取部とを設けるに当たって、それぞれで別々の部品を用いなくても済むので、部品点数を削減することができる。また、イメージセンサ１５自体を第二検知部として利用する場合、イメージセンサ１５の近傍で逆方向への搬送を停止すれば、再びシートを順方向へ搬送する際、シートをイメージセンサ１５へ到達させるために必要な搬送距離を小さくすることができる。したがって、シートをイメージセンサ１５へ到達させるために必要な搬送距離がより大きくなるものに比べ、シートの第二端を精度よくイメージセンサ１５へ到達させることができる。
【００４５】
また、本実施形態の場合、Ｓ６０の逆方向搬送処理によって逆方向へ搬送されるシートは、少なくとも一部が分岐経路Ｐ２へと搬送される。したがって、搬送経路Ｐ１については順方向への搬送に適した構造にする一方、分岐経路Ｐ２については逆方向への搬送に適した構造にすることができる。
【００４６】
また、本実施形態の場合、Ｓ６０逆方向搬送処理によってシートが分岐経路Ｐ２へと搬送された際、シートは、少なくとも一部が開口端６１から装置外へと導出される。したがって、分岐経路Ｐ２全体が装置内に構成される場合に比べ、装置内において分岐経路Ｐ２が占める空間を削減することができ、その分だけ装置の小型化を図ることができる。
【００４７】
また、本実施形態の場合、第二モードが選択されている場合に、Ｓ４０の順方向搬送処理からＳ６０の逆方向搬送処理を経てＳ８０の読取処理に至る処理が実行される。そのため、分離ローラ３２１及び分離片３２２に起因する画質の低下が発生しやすい高解像度の読取モードである第二モードにおいて、分離ローラ３２１及び分離片３２２による悪影響を排除することができる。
【００４８】
また、本実施形態の場合、少なくともＳ６０の逆方向搬送処理が実行される間は、分離ローラ３２１が回転駆動されない状態になる。したがって、Ｓ６０の処理期間において分離ローラ３２１が回転駆動される場合に比べ、分離ローラ３２１が作動しない分だけ装置から発生する騒音を低減することができる。また、分離ローラ３２１が作動しない分だけ、搬送部２０を作動させるために必要な動力を削減でき、その分の電力消費量を低減することができる。
【００４９】
（２）第二実施形態
第二実施形態以降の実施形態は、第一実施形態で例示した構成の一部を変更しただけなので、第一実施形態との相違点を中心に詳述し、第一実施形態と同様な部分に関しては、その詳細な説明を省略する。
【００５０】
第一実施形態では、分岐経路Ｐ２が、搬送経路Ｐ１から分岐して装置上方へと延び、その上端にある開口端６１から装置外へシートの一部が導出される例を示したが、分岐経路Ｐ２が設けられる位置や形状は任意に変更可能である。また、分岐経路Ｐ２の一端が開口端とされるか否かも任意である。分岐経路Ｐ２の一端が開口端とされていない場合は、装置内に十分な長さの分岐経路Ｐ２を確保して、逆方向に搬送されたシートが分岐経路Ｐ２内に収まるようにすればよい。
【００５１】
例えば、図８Ａに示すように、第三シートセンサ２３でシートの第一端が通過したことを検知した後、図６Ａに例示したタイミングよりも早めにシートを停止させることにより、第一端が第一搬送ローラ３３１を通過する前にシートの順方向への搬送を停止させる。この位置から逆方向への搬送を開始することにより、図８Ｂに示すように、主となる搬送経路Ｐ１の下方において、主となる搬送経路Ｐ１と並列に延びる分岐経路Ｐ２へシートを搬送する。
【００５２】
このような構成にすれば、装置の高さ方向に延びる搬送経路Ｐ１を装置内に確保しなくても済むので、装置の薄型化を実現しつつ、シートの一部が装置外へと導出されるのを避けることができる。分岐経路Ｐ２が搬送経路Ｐ１とは並列でない方向へ延びる場合に比べると、装置内において搬送経路Ｐ１及び分岐経路Ｐ２を構成するために必要となる空間を削減することができるので、その分だけ装置の小型化を図ることができる。
【００５３】
なお、図８Ｂには、分岐経路Ｐ２が、主となる搬送経路Ｐ１の下方において、主となる搬送経路Ｐ１と並列に延びる例を示したが、分岐経路Ｐ２は、主となる搬送経路Ｐ１の上方において、主となる搬送経路Ｐ１と並列に延びていてもよい。
【００５４】
（３）第三実施形態
第一実施形態では、分離ローラ３２１及び分離片３２２よりも搬送方向下流側において第三シートセンサ２３がシートの第一端を検知するように構成されていたが、第三シートセンサ２３は、シートの搬送量も考慮してシートの第一端が分離ローラ３２１及び分離片３２２から離脱したことを特定可能な位置に配設されていればよい。そのような位置の例としては、例えば、図９Ａに示すように、分離ローラ３２１及び分離片３２２よりも搬送方向上流側において第三シートセンサ２３がシートの第一端を検知するように構成されている例を挙げることができる。
【００５５】
この場合、第三シートセンサ２３がシートの第一端を検知した時点では、シートの第一端が分離ローラ３２１及び分離片３２２から離脱する状態には至っていない。ただし、分離ローラ３２１及び分離片３２２と第三シートセンサ２３との相対位置は変動しないので、第三シートセンサ２３がシートの第一端を検知した後、どの程度シートを搬送すればシートの第一端が分離ローラ３２１及び分離片３２２から離脱するかは、あらかじめ特定することが可能である。したがって、シートの第一端が分離ローラ３２１及び分離片３２２から離脱したことを特定するに当たって、第三シートセンサ２３を分離ローラ３２１及び分離片３２２よりも搬送方向下流側に配設するか否かは任意である。
【００５６】
（４）第四実施形態
第一実施形態では、単一のイメージセンサ１５を利用して、本開示でいう読取部と第二検知部とを構成していたが、図９Ｂに示すように、イメージセンサ１５とは別に第四シートセンサ６３を設けてもよい。この場合は、イメージセンサ１５が本開示でいう読取部に相当し、第四シートセンサ６３が本開示でいう第二検知部に相当する。このような第四シートセンサ６３は、第一シートセンサ２１や第二シートセンサ２２と同様の接触センサで構成することができる。あるいは、第四シートセンサ６３は、第三シートセンサ２３と同様の非接触センサで構成することができる。
【００５７】
第四シートセンサ６３が非接触センサで構成されていれば、接触子でシートに接触するように構成された接触センサとは異なり、シートの搬送方向が順方向及び逆方向のどちらに切り替わってもシートに接触することがない。よって、シートの汚損や接触子の破損といったトラブルが発生するのを抑制することができる。なお、図９Ｂに示すような位置に第四シートセンサ６３を配設するのであれば、第四シートセンサ６３と第二シートセンサ２２とを単一のセンサで兼用することも可能である。
【００５８】
（５）第五実施形態
第一実施形態では、特定の構造を有するクラッチ部３７を例示したが、支軸３８の逆方向への回転を開始させた際に分離ローラ３２１が逆回転するのを抑制することができれば、クラッチ部３７の具体的構造は第一実施形態において例示したものに限定されない。例えば、第一実施形態で例示したクラッチ部３７に代えて、図１０Ａ，図１０Ｂ，図１０Ｃ，及び図１０Ｄに例示するような遊星歯車機構によって構成されたクラッチ部７０が設けられていてもよい。
【００５９】
このクラッチ部７０は、駆動軸７１、太陽歯車７３、遊星歯車７５、及び増速歯車７７を有する。図１０Ｃに示すように、駆動軸７１が順方向に回転駆動された際には、太陽歯車７３が駆動軸７１と一体に回転駆動され、太陽歯車７３は図１０Ｃ中で反時計回りとなる方向へ回転駆動される。このとき、遊星歯車７５は、太陽歯車７３と噛み合って、図１０Ｃ中で時計回りとなる方向へ自転する。また、遊星歯車７５は、太陽歯車７３の周囲を、図１０Ｃ中で反時計回りとなる方向へ公転する。遊星歯車７５が公転するのに伴って、遊星歯車７５が図１０Ｃ中において実線で示す位置から仮想線で示す位置へ移動すると、遊星歯車７５は増速歯車７７と噛み合う状態になる。そのため、増速歯車７７は、図１０Ｃ中で反時計回りとなる方向へ回転駆動される。これにより、分離ローラ３２１は、増速歯車７７によって図１０Ｃ中で時計回りとなる方向へ回転駆動される。
【００６０】
一方、上述のような状態において、駆動軸７１の回転方向が切り替えられて、図１０Ｄに示すように、駆動軸７１が逆方向に回転駆動された際には、太陽歯車７３が駆動軸７１と一体に回転駆動され、太陽歯車７３は図１０Ｄ中で時計回りとなる方向へ回転駆動される。このとき、遊星歯車７５は、太陽歯車７３と噛み合って、図１０Ｄ中で反時計回りとなる方向へ自転する。また、遊星歯車７５は、太陽歯車７３の周囲を、図１０Ｄ中で時計回りとなる方向へ公転する。遊星歯車７５が公転するのに伴って、遊星歯車７５が図１０Ｄ中において仮想線で示す位置から実線で示す位置へ移動すると、遊星歯車７５は増速歯車７７とは噛み合わない状態になる。そのため、増速歯車７７は、回転駆動されない状態となり、分離ローラ３２１も回転駆動されない状態となる。
【００６１】
したがって、以上説明したようなクラッチ部７０を採用しても、駆動軸７１の回転方向を逆方向に切り替えたタイミングで分離ローラ３２１の作動を停止させることができる。よって、第一実施形態の場合と同様に、分離ローラ３２１及び分離ローラ３２１に連動する部材（例えば、吸入ローラ３１等。）が作動しなくなる分だけ、搬送部２０を作動させる際に動力源にかかる負荷を軽減することができるので、動力源に供給する電力を削減することができる。また、動力源や搬送部２０から発生する騒音を低減することもできる。
【００６２】
（６）他の実施形態
以上、画像読取装置について、例示的な実施形態を挙げて説明したが、上述の実施形態は本開示の一態様として例示されるものにすぎない。すなわち、本開示は、上述の例示的な実施形態に限定されるものではなく、本開示の技術的思想を逸脱しない範囲内において、様々な形態で実施することができる。
【００６３】
例えば、上記実施形態では、シートの搬送方向を逆方向に切り替えた際に、シートが分岐経路Ｐ２へと搬送される例を示したが、逆方向への搬送量が少ない場合には、分岐経路Ｐ２を設ける代わりに、主たる搬送経路Ｐ１だけを設けて、主たる搬送経路Ｐ１において逆方向への搬送を行ってもよい。この場合、シートの第一端は分離ローラ３２１及び分離片３２２に接近する方向へと移動するが、逆方向への搬送量が少ないのであれば、シートの第一端が分離ローラ３２１及び分離片３２２に到達したとしても、シートがいくらか撓むことでシートの第二端を所期の位置まで後退させることができ、その位置からシートの順方向への搬送を再開することができる。また、シートの第一端が分離ローラ３２１及び分離片３２２に到達したとしても、上述のクラッチ部７０が機能することにより、分離ローラ３２１は回転しない状態にあるので、シートの第一端が分離ローラ３２１によって逆方向へ吸入されてしまうようなことはない。
【００６４】
また、上記実施形態では、本開示でいう抑制部材として、分離片３２２を設ける例を示したが、分離片３２２に代えて、分離片３２２とは異なるタイプの抑制部材を設けてもよい。そのような抑制部材の例としては、例えば、リバースローラやリタードローラなどのローラ類や、リバースベルトなどを挙げることができる。これらの抑制部材が設けられている場合でも、分離ローラ３２１とのニップ位置からシートが離脱する際には、シートの搬送速度が一瞬だけ速くなることがある。したがって、上述のような処理により、分離ローラ３２１とのニップ位置からシートが離脱した後に、シートの画像を読み取ることにより、読み取られる画像の品質を向上させることができる。
【００６５】
また、上記実施形態では、本開示の画像読取装置の一例として、複合機１として構成された画像読取装置を例示したが、複合機１として構成されているか否かは任意である。例えば、単機能の画像読取装置であっても、本開示の構成を採用することができる。
【００６６】
また、上記実施形態では、本開示の画像読取装置の一例として、フラットベッド方式とＡＤＦ方式の双方によって画像を読み取り可能な装置を例示したが、ＡＤＦ方式のみで画像を読み取り可能な装置であっても、本開示の構成を採用することができる。
【００６７】
なお、上記各実施形態における一つの構成要素によって実現していた機能を、複数の構成要素によって実現するように構成してもよい。また、複数の構成要素によって実現していた機能を一つの構成要素によって実現するように構成してもよい。また、上記各実施形態の構成の一部を省略してもよい。また、上記各実施形態の構成の少なくとも一部を、他の上記実施形態の構成に対して付加、置換等してもよい。
【００６８】
（７）補足
なお、以上説明した例示的な実施形態から明らかなように、本開示の画像読取装置は、更に以下に挙げるような構成を備えていてもよい。
【００６９】
まず、本開示の画像読取装置において、第二検知部は、読取部によって構成されてもよい。
このように構成された画像読取装置によれば、第二検知部と読取部とで別々の部品を用いなくても済むので、部品点数を削減することができる。また、読取部自体を第二検知部として利用する場合、読取部の近傍で逆方向への搬送を停止すれば、再びシートを順方向へ搬送する際、シートを読取部へ到達させるために必要な搬送距離を小さくすることができる。したがって、シートを読取部へ到達させるために必要な搬送距離がより大きくなるものに比べ、シートの第二端を精度よく読取部へ到達させることができる。
【００７０】
また、本開示の画像読取装置において、搬送部は、搬送経路から分岐する分岐経路を備え、逆方向搬送処理によって逆方向へ搬送されるシートは、少なくとも一部が分岐経路へと搬送されてもよい。
【００７１】
このように構成された画像読取装置によれば、逆方向搬送処理によって逆方向へ搬送されるシートは、少なくとも一部が分岐経路へと搬送される。したがって、搬送経路については順方向への搬送に適した構造にする一方、分岐経路については逆方向への搬送に適した構造にすることができる。
【００７２】
また、本開示の画像読取装置において、分岐経路は、搬送経路から分岐して装置上方へと延びており、その上端は開口端とされていて、逆方向搬送処理によって分岐経路へと搬送されるシートは、少なくとも一部が開口端から装置外へと導出されてもよい。
【００７３】
このように構成された画像読取装置によれば、逆方向搬送処理によってシートが分岐経路へと搬送された際、シートは、少なくとも一部が開口端から装置外へと導出される。したがって、分岐経路全体が装置内に構成される場合に比べ、装置内において分岐経路が占める空間を削減することができ、その分だけ装置の小型化を図ることができる。
【００７４】
また、本開示の画像読取装置において、分岐経路は、搬送経路から分岐して搬送経路の上方又は下方において搬送経路と並列に延びていてもよい。
このように構成された画像読取装置によれば、逆方向搬送処理によって、シートは、搬送経路の上方又は下方において搬送経路と並列に延びる分岐経路へと搬送される。したがって、分岐経路が搬送経路とは並列でない方向へ延びる場合に比べ、装置内において搬送経路及び分岐経路を構成するために必要となる空間を削減することができ、その分だけ装置の小型化を図ることができる。
【００７５】
また、本開示の画像読取装置において、制御部は、第一の解像度で画像を読み取る第一モード、及び第一の解像度よりも高解像度となる第二の解像度で画像を読み取る第二モードを含む複数の読取モードの中から、いずれか一つの読取モードを利用者が任意に選択したら、当該選択された読取モードに従って搬送部及び読取部を制御して、シートの画像を読み取るように構成されており、第一モードが選択された場合には、順方向搬送処理から逆方向搬送処理を経て読取処理に至る処理とは異なる処理を実行し、第二モードが選択された場合には、順方向搬送処理から逆方向搬送処理を経て読取処理に至る処理を実行するように構成されていてもよい。
【００７６】
このように構成された画像読取装置によれば、第二モードが選択されている場合に、順方向搬送処理から逆方向搬送処理を経て読取処理に至る処理が実行される。そのため、分離部に起因する画質の低下が発生しやすい高解像度の読取モードにおいて、分離部による悪影響を排除することができる。
【００７７】
また、本開示の画像読取装置において、分離部は、一枚のシートを順方向へと搬送する分離ローラと、分離ローラによって搬送される一枚のシートとは別のシートに接触することにより、一枚のシート以外のシートが順方向へと搬送されるのを抑制する抑制部材とを含み、分離ローラは、支軸によって支持されていて、支軸と分離ローラとの間にはクラッチ部が設けられることにより、支軸に従動して回転する状態と、支軸に従動しない状態とを切り替え可能に構成され、少なくとも逆方向搬送処理が実行される間は、支軸に従動しない状態となるように構成されていてもよい。
【００７８】
このように構成された画像読取装置によれば、少なくとも逆方向搬送処理が実行される間は、分離ローラが回転駆動されない状態になる。したがって、逆方向搬送処理の実行中に分離ローラが回転駆動される場合に比べ、分離ローラが作動しない分だけ装置から発生する騒音を低減することができる。また、分離ローラが作動しない分だけ、搬送部を作動させるために必要な動力を削減でき、その分の電力消費量を低減することができる。
【００７９】
また、本開示の画像読取装置において、第二検知部は、搬送経路上で読取部が配置された位置から所定の距離だけ供給部寄りの位置となる第二位置において、シートに対して非接触で第二端が第二位置に到達したことを検知可能な非接触センサを備えてなるものであってもよい。
【００８０】
このように構成された画像読取装置によれば、第二検知部が上述のような非接触センサを備えてなる。そのため、接触子でシートに接触するように構成された接触センサとは異なり、シートの搬送方向が順方向及び逆方向のどちらに切り替わってもシートに接触することがなく、シートの汚損や接触子の破損といったトラブルが発生するのを抑制することができる。
【符号の説明】
【００８１】
１…複合機、２…本体ユニット、３…読取ユニット、４…フラットベッド部（ＦＢ部）、５…自動原稿搬送部（ＡＤＦ部）、１０…制御部、１１…画像形成部、１２…ＬＡＮ通信部、１３…操作パネル、１５…イメージセンサ、１７…プラテン、２０…搬送部、２１…第一シートセンサ、２２…第二シートセンサ、２３…第三シートセンサ、２５…給紙トレイ、２７…排紙トレイ、３１…吸入ローラ、３２１…分離ローラ、３２２…分離片、３３１…第一搬送ローラ、３３２…第一ピンチローラ、３４１…第二搬送ローラ、３４２…第二ピンチローラ、３５１…排出ローラ、３５２…排出ピンチローラ、３７…クラッチ部、３９…ピン、４１…第一回転部、４２…第二回転部、５１…円板部、５２…大径円筒部、５３…小径円筒部、５４…向心突起、５５…遠心突起、５７…凸部、６１…開口端、６３…第四シートセンサ、７０…クラッチ部、７１…駆動軸、７３…太陽歯車、７５…遊星歯車、７７…増速歯車、Ｐ１…搬送経路、Ｐ２…分岐経路。
【図１】
2018142880.tif 000003
【図２】
2018142880.tif 000004
【図３】
2018142880.tif 000005
【図４】
2018142880.tif 000006
【図５】
2018142880.tif 000007
【図６】
2018142880.tif 000008
【図７】
2018142880.tif 000009
【図８】
2018142880.tif 000010
【図９】
2018142880.tif 000011
【図１０】
2018142880.tif 000012